(57)【要約】【課題】熱源機による凍結防止の処理が開始される前に、暖房端末内の温水循環路で水の凍結が生じることを防止した空調システムを提供する。【解決手段】浴室暖房装置２は、浴室ＢＲ内の温度を検出する浴室温度センサ４２と、換気装置３に連通した浴室用吸気口１７と、浴室用吸気口１７を開閉する浴室ダンパ２７と、熱源機８から供給される温水を熱源とした暖房運転、及び換気装置３を作動させる換気運転を行い、浴室温度センサ４２の検出温度が第１凍結判定温度以下であるときに、浴室ダンパ２７により、浴室用吸気口１７を閉じる暖房コントローラ４０とを備える。【選択図】  図２
2015183925.tif 000002
【特許請求の範囲】
【請求項１】
熱源機から温水が供給される温水循環路に接続された換気機能付きの暖房端末と、該暖房端末の吸気口及び他の吸気口と排気口とに連通し、該暖房端末の吸気口又は該他の吸気口から空気を吸入して該排気口から排出する換気装置とを備えた空調システムであって、
前記換気装置は、前記暖房端末からの換気要求、又は前記他の吸気口に対応した他の換気要求に応じて作動し、
前記暖房端末は、前記暖房端末が設けられた室内の温度又は前記暖房端末内の前記温水循環路内の水の温度を検出する端末温度検出部と、前記暖房端末の吸気口を開閉するダンパと、前記熱源機から供給される温水を熱源とした暖房運転、及び前記ダンパにより前記暖房端末の吸気口を開けた状態で前記換気装置を作動させることによって、前記暖房端末が設置された室内の空気を前記暖房端末の吸気口から吸入して前記排気口から排出する換気運転を行い、前記端末温度検出部の検出温度が凍結防止温度以下であるときに、前記ダンパにより前記暖房端末の吸気口の開度を所定開度以下にする暖房端末制御部とを備えている
ことを特徴とする空調システム。
【請求項２】
請求項１に記載の空調システムにおいて、
前記暖房端末は、前記暖房端末の吸気口を介して前記換気装置に吸入される空気の流量を検出する風量センサを備え、
前記暖房端末制御部は、前記端末温度検出部の検出温度が前記凍結防止温度以下であり、且つ前記風量センサの検出風量が所定風量以下であるときに、前記ダンパにより前記暖房端末の吸気口の開度を前記所定開度以下にすることを特徴とする空調システム。
【発明の詳細な説明】
【技術分野】
【０００１】
本発明は、室内の暖房と換気を行う空調システムに関する。
【背景技術】
【０００２】
従来より、熱源機から循環供給される温水と室内の空気との間で熱交換を行って、室内を暖房する空調システムが知られている（例えば、特許文献１参照）。
【０００３】
特許文献１に記載された空調システムにおいては、屋外に設置された熱源機と屋内に設置された複数の暖房端末（浴室暖房装置、床暖房機等）とが、温水循環路を介して接続され、熱源機から送出される温水により各暖房端末が設置された室内の暖房が行われる。
【０００４】
そして、外気温の低下により温水循環路内の水が凍結することを防止するため、特許文献１に記載された空調システムでは、熱源機に設けられた外気温センサの検出温度が凍結指標温度以下になったときに、暖房運転を停止している暖房端末に対しても温水を供給する処理を行っている。
【先行技術文献】
【特許文献】
【０００５】
【特許文献１】特開２００５−６１８１５号公報
【発明の概要】
【発明が解決しようとする課題】
【０００６】
浴室暖房装置のように、暖房機能の他に換気機能も備えた暖房端末がある。そして、このような換気機能付きの暖房端末において、換気用のファンを専用に設ける構成の他に、他の部屋の換気口とも連通した共用の換気装置を作動させて、暖房端末の換気機能を実現した構成が採用されている。
【０００７】
共用の換気装置は、換気機能付きの暖房端末からの要求に応じて作動すると共に、他の部屋（トイレ、脱衣室等）に設けられた換気スイッチ等が操作されたときにも作動して、室内の空気を屋外に排出する。
【０００８】
本願発明者らは、このように共用の換気装置を利用して換気を行う暖房端末において、室温が低い状態になっているときに、熱源機による凍結防止の処理が開始される前に暖房端末の温水循環路内で水の凍結が生じる場合があることを知見した。
【０００９】
そこで、本発明は、熱源機による凍結防止の処理が開始される前に、暖房端末の温水循環路内の水が凍結することを防止した空調システムを提供することを目的とする。
【課題を解決するための手段】
【００１０】
本発明は上記目的を達成するためになされたものであり、本発明の空調システムは、
熱源機から温水が供給される温水循環路に接続された換気機能付きの暖房端末と、該暖房端末の吸気口及び他の吸気口と排気口とに連通し、該暖房端末の吸気口又は該他の吸気口から空気を吸入して該排気口から排出する換気装置とを備えた空調システムであって、
前記換気装置は、前記暖房端末からの換気要求、又は前記他の吸気口に対応した他の換気要求に応じて作動し、
前記暖房端末は、前記暖房端末が設けられた室内の温度又は前記暖房端末内の前記温水循環路内の水の温度を検出する端末温度検出部と、前記暖房端末の吸気口を開閉するダンパと、前記熱源機から供給される温水を熱源とした暖房運転、及び前記ダンパにより前記暖房端末の吸気口を開けた状態で前記換気装置を作動させることによって、前記暖房端末が設置された室内の空気を前記暖房端末の吸気口から吸入して前記排気口から排出する換気運転を行い、前記端末温度検出部の検出温度が第１凍結防止温度以下であるときに、前記ダンパにより前記暖房端末の吸気口の開度を所定開度以下にする暖房端末制御部とを備えていることを特徴とする。
【００１１】
かかる本発明によれば、前記換気装置は、前記暖房端末からの換気要求に応じて作動すると共に、他の換気要求（トイレや脱衣室に設けられた換気スイッチの操作による換気要求等）があったときにも作動する。そして、他の換気要求に応じて前記換気装置が作動したときに、前記暖房端末の吸入口が開いていると、前記暖房端末が設置された室内の空気が前記暖房端末内を経由して前記換気装置に吸入され、前記排気口から排出される。
【００１２】
この場合に、前記暖房運転や所定条件下で実行される前記熱源機の凍結防止運転等によって、前記温水循環路内に湯水が循環しているときには、前記暖房端末内の前記温水循環路で凍結が生じることはない。しかしながら、前記熱源機から前記温水循環路への温水の供給が停止した状態で、前記暖房端末が設置された室内の温度が０℃付近まで低下していると、前記暖房端末内に流入する室内の低温の空気によって、前記暖房端末内の前記温水循環路に滞留している水が冷却されて凍結するおそれがある。
【００１３】
そこで、前記暖房端末制御部は、前記端末温度検出部の検出温度が前記凍結防止温度以下であるときに、前記ダンパにより前記暖房端末の換気口の開度を前記所定開度以下にする。そして、これにより、上述したように、前記熱源機の凍結防止運転等が実行されていないために前記温水循環路に湯水が流通しておらず、且つ前記暖房端末が設置された室内が低温である状況下で、前記換気装置が前記暖房端末以外からの換気要求によって作動したときに、室内の低温の空気が前記暖房端末内に吸入されることを抑制して、前記熱源機の凍結防止運転が開始される前に前記暖房端末内の前記温水循環路内の水が凍結することを防止することができる。
【００１４】
また、前記暖房端末は、前記暖房端末の吸気口を介して前記換気装置に吸入される空気の流量を検出する風量センサを備え、
前記暖房端末制御部は、前記端末温度検出部の検出温度が前記凍結防止温度以下であり、且つ前記風量センサの検出風量が所定風量以下であるときに、前記ダンパにより前記暖房端末の吸気口の開度を前記所定開度以下にすることを特徴とする。
【００１５】
この構成によれば、前記風量が前記所定風量よりも少なく、前記暖房端末内の前記温水循環路の水が凍結する可能性が低い場合には、前記暖房端末の換気口の開度を前記所定開度よりも大きくして、前記暖房端末が設置された室内の換気が可能な状態を維持することができる。
【図面の簡単な説明】
【００１６】
【図１】本発明の空調システムの構成図。
【図２】図１に示した浴室暖房装置の給湯器の制御系の説明図。
【図３】浴室の温度に応じたダンパの開閉制御のフローチャート。
【発明を実施するための形態】
【００１７】
本発明の実施形態について、図１〜図３を参照して説明する。
【００１８】
図１を参照して、本実施形態の空調システム１は、屋外に設置された熱源機８と、浴室ＢＲに設置された浴室暖房装置２（本発明の換気機能付の暖房端末に相当する）と、浴室ＢＲの天井に設置された換気装置３とを備えている。
【００１９】
熱源機８と浴室暖房装置２とは温水循環路１２によって接続され、熱源機８で加熱された温水が浴室暖房装置２に循環供給される。換気装置３は、脱衣室ＤＲの換気口に連通したダクト２２、トイレＴＲの換気口に連通したダクト２４、浴室暖房装置２の吸気口１７（図２参照）、及び排気口（図示しない）に連通したダクト２０に接続され、浴室ＢＲ，脱衣室ＤＲ，及びトイレＴＲ内の空気を吸入して排気口から屋外に排出することによって、浴室ＢＲ，脱衣室ＤＲ，及びトイレＴＲの換気を行う。
【００２０】
脱衣室ＤＲには、浴室暖房装置２及び換気装置３を操作するためのリモコン３４が設けられ、トイレＴＲには、換気装置３の作動と停止を指示するトイレスイッチ３５が設けられている。
【００２１】
次に、図２を参照して、熱源機８と浴室暖房装置２は通信ケーブル４１で接続されて相互に通信可能に構成され、浴室暖房装置２と換気装置３は通信ケーブル４６で接続されて相互に通信可能に構成されている。また、リモコン３４は浴室暖房装置２及び換気装置３と通信可能に接続されている。
【００２２】
浴室暖房装置２は、浴室ＢＲに連通した吸込み口と吹き出し口（図示しない）とを有する筐体５内に、モータ６により駆動される循環ファン７と、温水循環路１２の途中に設けられて熱源機８から供給される温水が流通する熱交換器９と、浴室暖房装置２の作動を制御する暖房コントローラ４０（本発明の暖房端末制御部に相当する）とを収容している。
【００２３】
吹き出し口には、ステッピングモータ１０で駆動される可変ルーバ１１が設けられ、浴室暖房装置２から浴室ＢＲへの送風方向を可変ルーバ１１により変更できるようになっている。また、熱源機８と熱交換器９との間の温水循環路１２には、温水循環路１２を開閉して熱交換器９への温水の供給と停止を切替える熱動弁１３が設けられている。
【００２４】
浴室ＢＲを換気装置３に連通する浴室用吸気口１７（本発明の暖房端末の吸気口に相当する）には、ステッピングモータ２６により駆動される浴室ダンパ２７（本発明のダンパに相当する）が設けられ、浴室ダンパ２７の位置により浴室用吸気口１７の開度が調整可能とされている。
【００２５】
また、浴室暖房装置２は、浴室ＢＲ内の温度を検出する浴室温度センサ４２（本発明の端末温度検出部に相当する）と、温水循環路１２内の温水の温度を検出する浴室水温度センサ４３とを備えている。
【００２６】
暖房コントローラ４０は、図示しないＣＰＵ，メモリ，インターフェース回路等を備えて構成された制御ユニットであり、メモリに保持された浴室暖房装置２の制御用プログラムをＣＰＵで実行することにより、浴室暖房装置２の作動を制御する機能を果たす。
【００２７】
暖房コントローラ４０には、浴室温度センサ４２からの温度検出信号と、浴室水温度センサ４３からの温度検出信号と、リモコン３４からの操作信号とが入力される。また、暖房コントローラ４０から出力される制御信号によって、循環ファン７、可変ルーバ１１、熱動弁１３、及び、浴室ダンパ２７の作動が制御される。
【００２８】
暖房コントローラ４０は、リモコン３４により浴室暖房の開始操作がなされたときに、熱動弁１３を開弁して熱源機８に対して温水の供給を要求する信号を送信することによって、熱源機８から熱交換器９への温水の供給を開始させると共に、浴室ダンパ２７により浴室用吸気口１７を閉じて循環ファン７を作動させることにより、浴室暖房運転を実行する。
【００２９】
また、暖房コントローラ４０は、リモコン３４により浴室換気の開始操作がなされたときに、浴室ダンパ２７により浴室用吸気口１７を空けて、換気装置３に対して換気動作を指示する信号を送信（本発明の暖房端末からの換気要求に相当する）し、換気装置３を作動させることによって、浴室乾燥運転を実行する。
【００３０】
換気装置３は、浴室暖房装置２の筐体５に隣接した筐体１４内に、モータ１５により駆動される換気ファン１６と、換気コントローラ４５とを収容して構成されている。筐体１４には、浴室暖房装置２を介して浴室ＢＲに連通する浴室用吸気口１７と、脱衣室ＤＲに連通した脱衣室用吸気口１８と、トイレＴＲに連通したトイレ用吸気口１９と、ダクト２０を介して屋外に連通した排気口２１とが形成されている。
【００３１】
換気ファン１６の作動により、浴室用吸気口１７と脱衣室用吸気口１８とトイレ用吸気口１９から空気が吸引され、排気口２１を介して外部に排出される。脱衣室用吸気口１８には、脱衣室ＤＲに連通したダクト２２（図１参照）が管継手２３を介して接続されている。同様に、トイレ用吸気口１９には、トイレＴＲに連通したダクト２４（図１参照）が管継手２５を介して接続されている。
【００３２】
また、脱衣室用吸気口１８には、ステッピングモータ２８により駆動される脱衣室ダンパ２９が設けられており、脱衣室ダンパ２９により脱衣室用吸気口１８の開閉と開度調節が可能とされている。同様に、トイレ用吸気口１９には、ステッピングモータ３０により駆動されるトイレダンパ３１が設けられており、トイレダンパ３１によりトイレ用吸気口１９の開閉と開度調節が可能とされている。
【００３３】
換気コントローラ４５は、図示しないＣＰＵ，メモリ，インターフェース回路等を備えて構成された制御ユニットであり、メモリに保持された換気装置３の制御用プログラムをＣＰＵで実行することにより、換気装置３の作動を制御する機能を果たす。
【００３４】
換気コントローラ４５には、リモコン３４からの操作信号と、トイレスイッチ３５からの操作信号が入力される。また、換気コントローラ４５から出力される制御信号によって、換気ファン１６と脱衣室ダンパ２９とトイレダンパ３１の作動が制御される。
【００３５】
換気コントローラ４５は、リモコン３４から脱衣室ＤＲの換気を指示する信号（本発明の他の吸気口に対応した他の換気要求に相当する）を受信したときに、脱衣室ダンパ２９により脱衣室用吸気口１８を開けて、換気ファン１６を作動させることによって、脱衣室ＤＲの換気運転を実行する。
【００３６】
また、換気コントローラ４５は、トイレスイッチ３５からトイレＴＲの換気を指示する信号（本発明の他の換気要求に相当する）を受信したときに、トイレダンパ３１によりトイレ用吸気口１９を開けて、換気ファン１６を作動させることによって、トイレＴＲの換気運転を実行する。
【００３７】
さらに、換気コントローラ４５は、暖房コントローラ４０から浴室ＢＲの換気を指示する信号（本発明の暖房端末からの換気要求に相当する）を受信したときに、換気ファン１６を作動させる。この場合、暖房コントローラ４０は、浴室ダンパ２７により浴室用吸気口１７の開度を調節して、浴室ＢＲの換気量を変更する。
【００３８】
熱源機８は、熱源機８の作動を制御する熱源コントローラ５０（本発明の熱源機制御部に相当する）と、熱源機８の周囲温度（外気温度）を検出する周囲温度センサ５１（本発明の熱源温度検出部に相当する）と、温水循環路１２内の水の温度を検出する熱源水温度センサ５２（本発明の熱源温度検出部に相当する）を備えている。
【００３９】
熱源コントローラ５０は、浴室暖房装置２から温水の供給を要求する信号を受信したときに、図示しない加熱部（図示しない温水循環路１２の途中に設けられた熱交換器と、この熱交換器を加熱するバーナ等により構成される）と循環ポンプを作動させて、温水循環路１２を介して浴室暖房装置２に温水を供給する。
【００４０】
また、熱源コントローラ５０は、周囲温度センサ５１の検出温度が凍結防止外気温度（例えば５℃）以下になり、且つ、熱源水温度センサ５２の検出温度が凍結防止熱源水温度（例えば２０℃）以下になったときに、温水循環路１２を介して浴室暖房装置２に温水を供給する処理（凍結防止運転）を行って、温水循環路１２内の水が凍結することを防止する。
【００４１】
なお、周囲温度センサ５１と熱源水温度センサ５２のいすれか一方の検出温度により、温水循環路１２を介して浴室暖房装置２に温水を供給する処理を行うか否を決定するようにしてもよい。
【００４２】
次に、図３を参照して、浴室暖房装置２内の温水循環路１２で水が凍結することを防止するための処理について説明する。
【００４３】
暖房コントローラ４０は、ＳＴＥＰ１で凍結防止条件が成立しているか否かを判断する。凍結防止条件としては、浴室温度センサ４２の検出温度が凍結防止室温（例えば８℃）以下であり、且つ、浴室水温度センサ４３の検出温度が凍結防止端末温度（例えば１５℃）以下であることが設定されている。
【００４４】
ＳＴＥＰ１で凍結防止条件が成立したときにＳＴＥＰ２に進み、暖房コントローラ４０は、熱動弁１３を開弁する。熱動弁１３の開弁により、熱源機８が凍結防止の処理を開始したときに、温水循環路１２を介して浴室暖房装置２に温水が供給され、これにより温水循環路１２内の水の凍結が防止される状態となる。
【００４５】
続くＳＴＥＰ３で、暖房コントローラ４０は、浴室温度センサ４２の検出温度が−５℃（本発明の凍結防止温度に相当する）以下であるか否かを判断する。そして、浴室温度センサ４２の検出温度が−５℃以下であるときはＳＴＥＰ４に進み、暖房コントローラ４０は浴室ダンパ２７により浴室用吸気口１７を閉じる。そして、続くＳＴＥＰ５で浴室温度センサ４２の検出温度が−３℃以上となるまで、暖房コントローラ４０は、浴室用吸気口１７を閉じた状態に維持する。
【００４６】
ＳＴＥＰ５で浴室温度センサ４２の検出温度が−３℃よりも高くなったときにＳＴＥＰ６に進み、暖房コントローラ４０は、浴室ダンパ２７を作動させて浴室用吸気口１７を開ける。これにより、浴室ＢＲの換気が可能な状態となる。
【００４７】
続くＳＴＥＰ７で、暖房コントローラ４０は、凍結防止条件が成立しているか否かを判断する。そして、凍結防止条件が成立しているときはＳＴＥＰ３に戻り、凍結防止条件が成立していないときにはＳＴＥＰ８に進む。
【００４８】
ＳＴＥＰ８で、暖房コントローラ４０は、熱動弁１３を閉弁してＳＴＥＰ９に進み、処理を終了する。
【００４９】
なお、ＳＴＥＰ４において、暖房コントローラ４０は、浴室用吸気口１７を全閉（開度０％）としたが、必ずしも全閉にする必要はなく、浴室用吸気口１７を温水循環路１２内の水の凍結を防止できる程度の開度（本発明の所定開度に相当する）にすることによって、本発明の効果を得ることができる。
【００５０】
また、集合住宅等の気密性の高い住宅においては、換気装置３により、浴室用吸気口１７、脱衣室用吸気口１８、及びトイレ用吸気口１９を全て開けて換気ファン１６を作動させる状態を維持する常時換気（２４時間換気）が行われるが、この場合にも、図３に示したフローチャートによる処理を行って、浴室用吸気口１７については、凍結防止を優先して閉じるようにすることが好ましい。
【００５１】
［他の実施形態］
浴室暖房装置２に、浴室用吸気口１７から吸入される空気の流量を検出する風量センサ４４を備え、図３のＳＴＥＰ３において、浴室用吸気口１７を閉じるか否かを判断するための条件として、浴室温度センサ４２の検出温度が−５℃以下であり、且つ風量センサ４４の検出風量が所定風量以上であることを用いてもよい。この条件によれば、換気装置３による浴室ＢＲからの空気の吸入量が多く、浴室暖房装置２内の温水循環路１２内で水が凍結する可能性が高い場合に限定して、浴室用吸気口１７を閉じることができる。
【００５２】
また、図３のＳＴＥＰ３及びＳＴＥＰ５で、浴室温度センサ４２の検出温度に応じて浴室用吸気口１７を開閉したが、浴室水温度センサ４３の検出温度に応じて浴室吸気口を開閉するようにしてもよい。この場合、浴室水温度センサ４３は、本発明の端末温度検出部に相当する。
【符号の説明】
【００５３】
１…空調システム、２…浴室暖房装置（暖房端末）、３…換気装置、８…熱源機、１２…温水循環路、１３…熱動弁、１６…換気ファン、２７…浴室ダンパ、３４…リモコン、４０…暖房コントローラ、４２…浴室温度センサ（第１温度検出部）、４３…浴室水温度センサ、４４…風量センサ、４５…換気コントローラ、５０…熱源コントローラ、５１…周囲温度センサ（第２温度検出部）、５２…熱源水温度センサ。
【図１】
2015183925.tif 000003
【図２】
2015183925.tif 000004
【図３】
2015183925.tif 000005